(57)【要約】【課題】  工事用標示板の訴求力を大きくするとともに、特に重要な情報を最も目立つようにすることができるようにする。また、そのような標示板を安価に製造できるようにする。【解決手段】  表示面３上において、蛍光黄色の外側黄色枠１１に囲まれるようにして地色がオレンジ色であるオレンジ色地領域１２を設けるとともに、このオレンジ色地領域１２に囲まれるようにして地色が蛍光黄色である黄色地領域１３を設け、オレンジ色地領域１２に第一の可視情報１６，１７、黄色地領域１３に第二の可視情報１８をそれぞれ設ける。製造方法としては、全面的に蛍光黄色である表示面３の所定部分上にオレンジ色の透明インクの層１９を形成することにより、インクの層１９が存在する部分はオレンジ色地領域１２とする一方、インクの層１９が存在しない部分は外側黄色枠１１および黄色地領域１３とする。【選択図】    図２
2005213768.tif 000002
【特許請求の範囲】
【請求項１】
工事に関する情報を反射性表示面に担持する工事用標示板において、蛍光黄色の外側黄色枠と、この外側黄色枠に囲まれた、地色がオレンジ色であるオレンジ色地領域と、このオレンジ色地領域に囲まれた、地色が蛍光黄色である黄色地領域と、前記オレンジ色地領域に設けられた第一の可視情報と、前記黄色地領域に設けられた第二の可視情報とを前記表示面上にそれぞれ有してなる工事用標示板。
【請求項２】
前記外側黄色枠と前記オレンジ色地領域との間および（または）前記オレンジ色地領域と前記黄色地領域との間にそれぞれ設けられた黒色の境界枠を有する請求項１記載の工事用標示板。
【請求項３】
前記オレンジ色領域と前記黄色地領域との面積比は、９：１乃至６：４である請求項１または２に記載の工事用標示板。
【請求項４】
工事に関する情報を反射性表示面に担持する工事用標示板において、蛍光黄色の外側黄色枠と、この外側黄色枠に囲まれた、地色がオレンジ色であるオレンジ色地領域と、このオレンジ色地領域に囲まれた、地色が蛍光黄色である黄色地領域と、前記オレンジ色地領域に設けられた第一の可視情報と、前記黄色地領域に設けられた第二の可視情報とを前記表示面上にそれぞれ有してなる工事用標示板の製造方法であって、
インク層形成前の状態では前記反射性表示面を全面的に蛍光黄色を呈するものとし、この表示面の所定部分上にオレンジ色の透明インクの層を形成することにより、基本的に、前記オレンジ色の透明インクの層が存在する部分は前記オレンジ色地領域とする一方、前記オレンジ色の透明インクの層が存在しない部分は前記外側黄色枠および前記黄色地領域とし、しかる後に前記オレンジ色より濃い色で前記オレンジ色地領域上に前記第一の可視情報を形成することを特徴とする工事用標示板の製造方法。
【請求項５】
前記表示面の所定部分上に前記オレンジ色の透明インクの層を形成した後、黒色のインクにより前記外側黄色枠と前記オレンジ色地領域との間および（または）前記オレンジ色地領域と前記黄色地領域との間にそれぞれ黒色の境界枠を形成する請求項４記載の工事用標示板の製造方法。
【発明の詳細な説明】
【技術分野】
【０００１】
本発明は、道路工事等の工事に関する情報を表示する工事用標示板に関する。
【背景技術】
【０００２】
従来のこの種の工事用標示板は、例えば特許文献１等に開示されている。図１はこのような従来の工事用標示板１の例を示しており、再帰反射性を有する反射シート２の表面で構成される表示面３上には、文字、記号、絵、図形、模様等からなる工事に関する可視情報４が印刷等により担持されている。そして、表示面３の全面において、反射シート２の表面の色がそのまま表示面３の地色とされていた。このため、表示面３の全面において、地色は白、黄色またはオレンジ（黄赤）等のうちの１色のみとされていた。
【特許文献１】特開平９−２３０７４８号公報
【発明の開示】
【発明が解決しようとする課題】
【０００３】
従来のこの種の工事用標示板は、前述のように表示面３の全面において、反射シート２の表面の色がそのまま表示面３の地色とされていることにより、表示面３の全面が同一の地色とされていたので、全体に平板な印象を与え、訴求力が十分でないとともに、特に重要な情報ないしは最も注目を集めたい情報とそうでない部分とに重み付けができないという問題があった。
【０００４】
本発明は、このような従来の事情に鑑みてなされたもので、訴求力を非常に大きくすることができる工事用標示板を提供することにある。
【０００５】
本発明の他の目的は、特に重要な情報ないしは最も注目を集めたい情報を特に目立つようにすることができる工事用標示板を提供することにある。
【０００６】
本発明の他の目的は、訴求力を非常に大きくしたり、特に重要な情報ないしは最も注目を集めたい情報を特に目立つようにすることができる工事用標示板を安価に製造することができる工事用標示板の製造方法を提供することにある。
【０００７】
本発明のさらに他の目的は、以下の説明から明らかになろう。
【課題を解決するための手段】
【０００８】
本発明による工事用標示板は、工事に関する情報を反射性表示面に担持する工事用標示板において、蛍光黄色の外側黄色枠と、この外側黄色枠に囲まれた、地色がオレンジ色であるオレンジ色地領域と、このオレンジ色地領域に囲まれた、地色が蛍光黄色である黄色地領域と、前記オレンジ色地領域に設けられた第一の可視情報と、前記黄色地領域に設けられた第二の可視情報とを前記表示面上にそれぞれ有してなるものである。
【０００９】
オレンジ色および黄色は、それぞれ単独でも目立ちやすい色であるが、本発明の工事用標示板においては、オレンジ色地領域内に、より明るい色である黄色地領域が設けられているので、オレンジ色と黄色との対比により黄色地領域が一層際だって見え、従来のように表示面の地色が１色の場合に比較し、格段に訴求力を高めることができる。
【００１０】
また、特に重要な情報ないしは最も注目を集めたい情報を黄色地領域に設けられる第二の可視情報とすれば、当該情報を最も強く目立たせ、最も注目を引くようにすることができる。
【００１１】
また、外側に明るい膨張色である黄色の外側黄色枠が設けられているので、工事用標示板の表示面が大きく見えるようにすることができ、これによっても訴求力を高めることができる。
【００１２】
なお、外側黄色枠とオレンジ色地領域との間、およびオレンジ色地領域と黄色地領域との間には、黒色の境界枠をそれぞれ設けることが好ましく、このようにすることにより、外側黄色枠とオレンジ色地領域との間およびオレンジ色地領域と黄色地領域との間の境界を明確にし、より訴求力を高めることができる。
【００１３】
本発明による工事用標示板の製造方法は、工事に関する情報を反射性表示面に担持する工事用標示板において、蛍光黄色の外側黄色枠と、この外側黄色枠に囲まれた、地色がオレンジ色であるオレンジ色地領域と、このオレンジ色地領域に囲まれた、地色が蛍光黄色である黄色地領域と、前記オレンジ色地領域に設けられた第一の可視情報と、前記黄色地領域に設けられた第二の可視情報とを前記表示面上にそれぞれ有してなる工事用標示板の製造方法であって、
インク層形成前の状態では前記反射性表示面を全面的に蛍光黄色を呈するものとし、この表示面の所定部分上にオレンジ色の透明インクの層を形成することにより、基本的に、前記オレンジ色の透明インクの層が存在する部分は前記オレンジ色地領域とする一方、前記オレンジ色の透明インクの層が存在しない部分は前記外側黄色枠および前記黄色地領域とし、しかる後に前記オレンジ色より濃い色で前記オレンジ色地領域上に前記第一の可視情報を形成するものである。
【００１４】
ここで、工事用標示板の表示面を、地色の異なる複数の領域に分けるために、もし表示面の各領域を色の異なる複数種類の反射シートによってそれぞれ構成するならば、製造コストが非常に高くなってしまう。
【００１５】
しかるに本願発明の工事用標示板の製造方法によれば、表示面の全面を、１枚の反射シート（インク層形成前は全面的に黄色蛍光色をなしている）で構成し、なおかつ表示面に地色が異なる複数の領域を設けることができる。したがって、製造コストを安価とすることができる。
【発明の効果】
【００１６】
本発明の工事用標示板は、訴求力を非常に大きくすることができるとともに、特に重要な情報ないしは最も注目を集めたい情報を特に目立つようにすることができるという優れた効果を得られるものである。
【００１７】
また、本発明の工事用標示板の製造方法は、訴求力を非常に大きくしたり、特に重要な情報ないしは最も注目を集めたい情報を特に目立つようにすることができる工事用標示板を安価に製造することができるという優れた効果を得られるものである。
【発明を実施するための最良の形態】
【００１８】
以下、本発明を図面に示す実施例に基づいて説明する。
【実施例１】
【００１９】
図２〜９は、本発明の一実施例を示し、この実施例は、脚立式道路工事用標示板に本発明を適用した例である。
【００２０】
本実施例において、工事用標示板１は枠体７を有し、この枠体７の上下方向中間部には脚部８の上端部が水平方向に延びる回動軸９を中心として回動可能に結合されている。そして、この工事用標示板１は、使用時には、図２〜５に示されるように、枠体７に対し脚部８を開いた状態で枠体７および脚部８の下端部を接地することにより、設置面上に立てられるようになる一方、収納時および運搬時等の不使用時には、図６に示されるように、枠体７に対し脚部８を閉じて折り畳むことができるようになっている。
【００２１】
前記枠体７には鋼板等からなる矩形の情報担持板１０（図３，８，９参照）が取り付けられており、この情報担持板１０の表面には反射シート２が貼付されている。この反射シート２の表面は工事用標示板１の表示面３を構成しており、再帰反射性を有し、かつ後述するインク層形成前（印刷前）は全面的に蛍光黄色（蛍光色の黄色）、さらに詳しく言えば蛍光色のレモンイエローを呈している。図２，５に示されるように、前記表示面３の最外側には矩形かつ蛍光黄色の外側黄色枠１１が設けられている。この外側黄色枠１１の内方には、地色を蛍光オレンジ色（蛍光色のオレンジ色）とされたオレンジ色地領域１２が設けられている。なお、図２，５および７では、便宜上、表示面３上で蛍光黄色を呈する部分を白地で示す一方、蛍光オレンジ色を呈する部分を格子模様を施して示している（表示面３上に実際に格子模様が施されている訳ではないことに注意されたい）。さらに、このオレンジ色地領域１２に囲まれる矩形状の一部領域は、地色を蛍光黄色とされた黄色地領域１３とされている。前記外側黄色枠１１とオレンジ色地領域１２との間およびオレンジ色地領域１２と黄色地領域１３との間には、それぞれ黒色の矩形状の第一の境界枠１４および第二の境界枠１５が設けられている。
【００２２】
前記オレンジ色地領域１２上には黒色で第一の可視情報１６，１７が印刷されている。前記黄色地領域１３には黒色および赤色で第二の可視情報１８が印刷されている（赤色部分は縦線を施して示している）。前記第一および第二の可視情報１６，１７，１８は、それぞれ工事に関するもので、本実施例では、第一の可視情報１６は斜め縞模様、第一の可視情報１７は「追突注意」の文字、第二の可視情報１８は車両が追突している絵とされているが、それぞれ工事に関する任意の文字、記号、絵、図形、模様等とすることができる。
【００２３】
図７〜９は、本実施例において表示面３上に外側黄色枠１１、オレンジ色地領域１２、黄色地領域１３、第一の可視情報１６，１７、第二の可視情報１８および境界枠１４，１５を形成する製造工程を示している。これを説明すると、まず図７のように、再帰反射性を有し、かつ本来的には全面的に蛍光黄色を呈している表示面３の所定部分上に印刷によってオレンジ色の透明インクの層１９を形成することにより、基本的に、前記オレンジ色の透明インクの層１９が存在する部分はオレンジ色地領域１２とする一方、前記オレンジ色の透明インクの層１９が存在しない部分は外側黄色枠１１および黄色地領域１３とする。
【００２４】
しかる後に、図８および９に模式的に示すように、黒色のインク２０でオレンジ色地領域１２に第一の可視情報１６，１７を、外側黄色枠１１とオレンジ色地領域１２との間およびオレンジ色地領域１２と黄色地領域１３との間に境界枠１４，１５を、黄色地領域１３に第二の可視情報１８の黒部分をそれぞれ印刷する。また、赤色のインク（図示せず）で黄色地領域１３に第二の可視情報１８の赤部分を印刷する。これにより、図２，５に示される表示面３の表示が完成する。
【００２５】
なお、第一の可視情報１６，１７は必ずしも黒色とする必要はないが、オレンジ色地領域１２の地色をなすオレンジ色に負けて不明確にならないようにするため、該オレンジ色より濃い色とすることが必要である。
【００２６】
オレンジ色も黄色もそれぞれ単独でも目立ちやすい色であるが、この標示板１においては、オレンジ色地領域１２内に、より明るい色である黄色地領域１３が設けられているので、オレンジ色と黄色との対比により黄色地領域１３が一層際だって見え、従来のように表示面３の地色が１色の場合に比較し、格段に訴求力を高めることができる。
【００２７】
また、特に重要な情報ないしは最も注目を集めたい情報を黄色地領域１３に設けられる第二の可視情報１８とすれば、当該情報１８を最も強く目立たせ、最も注目を引くようにすることができる。
【００２８】
なお、オレンジ色領域と前記黄色地領域１３との面積比は、９：１乃至６：４が好ましく、特に好ましいのは７：３程度である。
【００２９】
また、この工事用標示板１では、外側に明るい膨張色である黄色の外側黄色枠１１が設けられているので、工事用標示板１の表示面３が大きく見えるようにすることができ、これによっても訴求力を高めることができる。
【００３０】
また、外側黄色枠１１、オレンジ色地領域１２および黄色地領域１３の地色が蛍光色とされているので、薄暮時や早朝等の薄暗い状態でも表示面１３の表示がよく見えるようにすることができる。
【００３１】
さらに、本実施例では、外側黄色枠１１とオレンジ色地領域１２との間、およびオレンジ色地領域１２と黄色地領域１３との間に、黒色の境界枠１４，１５がそれぞれ設けられているので、外側黄色枠１１とオレンジ色地領域１２との間およびオレンジ色地領域１２と黄色地領域１３との間の境界を明確にし、より訴求力を高めることができる。
【００３２】
なお、工事用標示板１の表示面３を地色の異なる複数の領域に分けるために、もし表示面３の各領域を色の異なる複数種類の反射シート２によってそれぞれ構成するならば、製造コストが非常に高くなってしまう。
【００３３】
しかるにこの工事用標示板１の製造方法によれば、表示面３の全面を１枚の反射シート２（インク層形成前は全面的に黄色蛍光色をなしている）で構成し、なおかつ表示面３に地色が異なる複数の領域を設けることができる。したがって、製造コストを安価とすることができる。
【産業上の利用可能性】
【００３４】
以上のように本発明による工事用標示板およびその製造方法は、工事に関する情報を表示する工事用標示板およびその製造方法として有用である。
【図面の簡単な説明】
【００３５】
【図１】従来の工事用標示板を示す斜視図である。
【図２】本発明による工事用標示板の一実施例を使用状態において斜め表側から見て示す斜視図である。
【図３】前記実施例を使用状態において斜め裏側から見て示す斜視図である。
【図４】前記実施例を使用状態において示す側面図である。
【図５】前記実施例を折り畳み状態において示す正面図である。
【図６】前記実施例を折り畳み状態において示す側面図である。
【図７】前記実施例における工事用標示板の製造工程において、表示面上にオレンジ色の透明インクの層を形成することにより、外側黄色枠、オレンジ色地領域および黄色地領域を形成した段階を示す正面図である。
【図８】前記実施例における表示面上のインクの層を模式的に示した拡大断面図である。
【図９】前記実施例における他の位置における表示面上のインクの層を模式的に示した拡大断面図である。
【符号の説明】
【００３６】
１    工事用標示板
２    反射シート
３    表示面
１１    外側黄色枠
１２    オレンジ色地領域
１３    黄色地領域
１４    第一の境界枠
１５    第二の境界枠
１６，１７    第一の可視情報
１８    第二の可視情報
１９    オレンジ色の透明インクの層
２０    黒色のインク
【図１】
2005213768.tif 000003
【図２】
2005213768.tif 000004
【図３】
2005213768.tif 000005
【図４】
2005213768.tif 000006
【図５】
2005213768.tif 000007
【図６】
2005213768.tif 000008
【図７】
2005213768.tif 000009
【図８】
2005213768.tif 000010
【図９】
2005213768.tif 000011